(57)【要約】      （修正有）【課題】端子とリードの接続部分の位置を統一させることによって、収容槽内に収容される電子装置から延伸するリードを機械により簡単且つ迅速に各端子に半田付けすることができる電子装置用パッケージケースを提供する。【解決手段】電子装置を収容できる収容槽２２及びそれぞれ同一側に向かっている先端面２３１を有する複数の支持台２３を有するように形成された筐体２１と、それぞれ筐体２１内より筐体２１外に突出して同一方向に延伸している複数の端子３とを備えている。各端子３は、先端面２３１に固定され、該先端面２３１に対応する支持台３２により支持されている接続プレートをそれぞれ有している。【選択図】図２
0003176152.tif 000002
【実用新案登録請求の範囲】
【請求項１】
電子装置を収容できる収容槽及びそれぞれ同一側に向かっている先端面を有する複数の支持台を有するように形成された筐体と、
それぞれ前記筐体内より筐体外に突出して同一方向に延伸している複数の端子とを備えている電子装置用パッケージケースであって、
各前記端子は、前記先端面に当接固定され、該先端面に対応する支持台により支持されている接続プレートをそれぞれ有していることを特徴とする電子装置用パッケージケース。
【請求項２】
各前記端子はそれぞれ、前記接続プレートに加え、該接続プレートから折れ曲がって前記対応の支持台内に埋め込まれている埋込み部と、該埋込み部から更に前記同一方向に延伸し前記筐体外に突出している露出部と、前記埋込み部の周りから張り出している係止部とを有することを特徴とする請求項１に記載の電子装置用パッケージケース。
【請求項３】
各前記支持台には、該支持台に固定されている端子に対応するリード溝が形成されていることを特徴とする請求項１または請求項２に記載の電子装置用パッケージケース。
【請求項４】
前記複数の端子は、前記接続プレートがその埋込み部から折れ曲がって第１の方向へ延伸する第１の端子と、前記接続プレートがその埋込み部から折れ曲がって前記第１の方向と反対の第２の方向へ延伸する第２の端子とを含み、
前記複数の支持台は、前記第１の方向及び前記第２の方向と直交する第３の方向に列となって並んでおり、また、前記第１の端子と前記第２の端子とは、互いに入れ替わるように配置されており、
更に、前記第１の端子が固定されている支持台に形成された前記リード溝は、前記第２の端子が固定されている支持台に形成された前記リード溝より深く形成されていることを特徴とする請求項３に記載の電子装置用パッケージケース。
【請求項５】
前記筐体は、凹陥して前記収容槽となる窪みと、前記収容槽の両側にあって平行する一対の側壁とを有する皿状体であり、
前記複数の支持台は、二列となってそれぞれ前記一対の側壁と一体的に形成されており、
各列における前記複数の支持台は、それぞれが有する前記第１の端子と前記第２の端子とが交互に入れ替わるように配置されていることを特徴とする請求項４に記載の電子装置用パッケージケース。
【請求項６】
前記一対の側壁の上端の外周縁に複数の突起壁が間を空けて該側壁の延伸方向に沿って並んでいると共に、隣り合う２つの前記突起壁の間に谷間が画成されており、
各前記端子が有する前記接続プレートは、それぞれ前記谷間に対応して配置されていることを特徴とする請求項５に記載の電子装置用パッケージケース。
【請求項７】
前記一対の側壁の上端にそれぞれ複数の円柱状突起が間を空けて前記第３の方向に並んでおり、
各前記リード溝は、該リード溝が形成される前記支持台と一体的になった前記側壁の前記収容槽に面する内側面に凹設されていると共に、隣り合う２つの前記円柱状突起の間に配置されていることを特徴とする請求項６に記載の電子装置用パッケージケース。
【請求項８】
前記収容槽と前記一対の側壁の上端を覆う蓋体を更に備えていることを特徴とする請求項１に記載の電子装置用パッケージケース。
【考案の詳細な説明】
【技術分野】
【０００１】
本考案は電子装置用パッケージケースに関し、特に、各端子とリードの接続を素早く行うことのできる電子装置用パッケージケースに関する。
【背景技術】
【０００２】
従来の電子装置用パッケージケースは、例えば図１に示されているように、本体６１と蓋６３とを有し、本体６１は電子装置を収容できる収容槽６１０が凹設されていると共に、複数の端子６２により貫挿されている。各端子６２の両端はそれぞれ第１の接続端６２１と第２の接続端６２２となり、各第２の接続端６２２で収容槽６１０内に収容される電子装置と電気的に接続されるように構成されている。
【０００３】
各第２の接続端６２２はそれぞれ２つの制限ブロック６２３と、該２つの制限ブロック６２３の間にある巻き付け部６２４とが形成されており、収容槽６１０内に収容される電子装置から延伸するリードは、それぞれ各端子の巻き付け部６２４に巻き付けられて半田付けされる。更に、収容槽６１０は、電気的絶縁材料により充満されている。
【考案の概要】
【考案が解決しようとする課題】
【０００４】
上記構成の電子装置用パッケージケース１は、収容槽６１０内に収容される電子装置から延伸するリードをそれぞれ各端子の巻き付け部６２４に巻き付けてから半田付けで固定する構成になっているので、作業が複雑である上、機械により自動的に行うことが困難であり、時間と人員のコストが高い。
【０００５】
従って、本考案は、端子とリードの接続部分の位置を統一させることによって、収容槽内に収容される電子装置から延伸するリードが機械により簡単且つ迅速に各端子に半田付けすることができる電子装置用パッケージケースを提供することを目的とする。
【課題を解決するための手段】
【０００６】
上記目的を達成すべく、本考案は、電子装置を収容できる収容槽及びそれぞれ同一側に向かっている先端面を有する複数の支持台を有するように形成された筐体と、それぞれ前記筐体内より筐体外に突出して同一方向に延伸している複数の端子とを備えている電子装置用パッケージケースであって、各前記端子は、前記先端面に当接固定され、該先端面に対応する支持台により支持されている接続プレートをそれぞれ有していることを特徴とする電子装置用パッケージケースを提供する。
【０００７】
上記電子装置用パッケージケースにおいて、各前記端子はそれぞれ、前記接続プレートに加え、該接続プレートから折れ曲がって前記対応の支持台内に埋め込まれている埋込み部と、該埋込み部から更に前記同一方向に延伸し前記筐体外に突出している露出部と、前記埋込み部の周りから張り出している係止部とを有することが好ましい。
【０００８】
上記電子装置用パッケージケースにおいて、各前記支持台には、該支持台に固定されている端子に対応するリード溝が形成されていることが好ましい。
【０００９】
上記電子装置用パッケージケースにおいて、前記複数の端子は、前記接続プレートがその埋込み部から折れ曲がって第１の方向へ延伸する第１の端子と、前記接続プレートがその埋込み部から折れ曲がって前記第１の方向と反対する第２の方向へ延伸する第２の端子とを含み、前記複数の支持台は、前記第１の方向及び前記第２の方向と直交する第３の方向に列となって並んでおり、また、前記第１の端子と前記第２の端子とは、交互に入れ替わるように配置されており、更に、前記第１の端子が固定されている支持台に形成された前記リード溝は、前記第２の端子が固定されている支持台に形成された前記リード溝より深く形成されていることが好ましい。
【００１０】
上記電子装置用パッケージケースにおいて、前記筐体は、凹陥して前記収容槽となる窪みと、前記収容槽の両側にあって平行する一対の側壁とを有する皿状体であり、前記複数の支持台は、二列となってそれぞれ前記一対の側壁と一体的に形成されており、各列における前記複数の支持台は、それぞれが有する前記第１の端子と前記第２の端子とが交互に入れ替わるように配置されていることが好ましい。
【００１１】
上記電子装置用パッケージケースにおいて、前記一対の側壁の上端の外周縁に複数の突起壁が間を空けて該側壁の延伸方向に沿って並んでいると共に、隣り合う２つの前記突起壁の間に谷間が画成されており、各前記端子が有する前記接続プレートは、それぞれ前記谷間に対応して配置されていることが好ましい。
【００１２】
上記電子装置用パッケージケースにおいて、前記一対の側壁の上端にそれぞれ複数の円柱状突起が間を空けて前記第３の方向に並んでおり、各前記リード溝は、該リード溝が形成される前記支持台と一体的になった前記側壁の前記収容槽に面する内側面に凹設されていると共に、隣り合う２つの前記円柱状突起の間に配置されていることが好ましい。
【００１３】
上記電子装置用パッケージケースにおいて、前記収容槽と前記一対の側壁の上端を覆う蓋体を更に備えていることが好ましい。
【考案の効果】
【００１４】
上記構成により、本考案の電子装置用パッケージケースにおいて、各端子の接続プレートは各支持台のそれぞれ同一側に向かっている先端面に固定されていると共に、該支持台により支持されているので、収容槽内に収容される電子装置から延伸するリードを各端子の接続プレートに当接するように設置しておくと、各先端面が向かっている側から機械を用いて一斉に半田付けで固定することができる。
【図面の簡単な説明】
【００１５】
【図１】従来の電子装置用パッケージケースの構成例の分解斜視図である。
【図２】本考案の電子装置用パッケージケースの構成例の分解斜視図である。
【図３】本考案の電子装置用パッケージケースの構成例の断面図である。
【考案を実施するための形態】
【００１６】
以下は図面を参照しながら、本考案の好ましい実施形態について詳しく説明する。
【００１７】
図２及び図３は本考案の電子装置用パッケージケースの好ましい実施形態を示しており、図２は本考案の電子装置用パッケージケースの構成例の分解斜視図であり、図３は同電子装置用パッケージケースの構成例の断面図である。
【００１８】
図示のように、本考案の電子装置用パッケージケースは、従来の電子装置用パッケージケースと同様に、電子装置４を収容できるように凹設された収容槽２２と、収容槽２２の両側にある一対の側壁２１１とを有する筐体２１と、収容槽２２と前記一対の側壁２１１の上端を覆う蓋体５とを備えてなるものであるが、その筐体２１は、凹陥して収容槽２２となる窪みと、収容槽２２の両側にあって平行する一対の側壁２１１とを有する皿状体であると共に、該皿状体の前記一対の側壁２１１の間に、同一側（図中の上側）に向かっている先端面２３１を有する複数の支持台２３と、各支持台２３の先端面２３１に対面するように当接固定され、各先端面２３１が対応する支持台により支持されている接続プレート３２を有する複数の端子３とがある。
【００１９】
より詳しく説明すると、各接続プレート３２は各先端面２３１と同じく図中の上側に向かっている上端面３２２を有しており、収容槽２２内に収容される電子装置４から延伸するエナメル線などのリード６を各端子３の接続プレート３２の上端面３２２に当接するように設置しておくと、各先端面３２２が向かっている側（つまり図中の上側）から機械を用いて一斉に半田付けでリード６と各端子３を固定することができる。
【００２０】
この実施形態において、複数の支持台２３は、二列となってそれぞれ一対の側壁２１１と一体的に形成されている。各支持台２３には、該支持台に固定されている端子３に対応するリード溝２１２が形成されている。収容槽２２に収容される電子装置４から延伸するリード６は、各リード溝２１２を経由して各支持台２３に固定されている端子３の接続プレート３２に到達して接続されることができる。
【００２１】
各端子３はそれぞれ、接続プレート３２の他に、該接続プレート３２から折れ曲がって対応の支持台２３内に埋め込まれている埋込み部３１１と、該埋込み部３１１から同一方向（図中の下方向）へ更に延伸し筐体２１外に突出している露出部３１２と、埋込み部３１１の周りから張出している２つの係止部３１３とを有するように配置形成されている。図示のように、２つの係止部３１３はそれぞれ環状とテーパ状に形成されており、筐体２１と嵌まり合って各端子３が筐体２１から抜けることを防ぐことができる。
【００２２】
また、図示されているように、本考案における複数の端子は２種類に分けられており、即ち、接続プレート３２がその埋込み部から折れ曲がって第１の方向へ（収容槽２２側へ）延伸する第１の端子３Ｂと、接続プレート３２がその埋込み部から折れ曲がって前記第１の方向と反対する第２の方向へ（筐体２１の外側へ）延伸する第２の端子３Ａとを含み、この第１の方向と第２の方向は、共に側壁２１１の延伸方向と直交するようになっている。
【００２３】
各端子３の接続プレート３２を支持する複数の支持台２３は、前記第１の方向及び前記第２の方向と直交する第３の方向、即ち側壁２１１の延伸方向で列となって並んで側壁２１１を形成し、また、第１の端子３Ａと第２の端子３Ｂとは、交互に入れ替わるように配置されている。
【００２４】
即ち、二列に並んで一対の側壁２１１とそれぞれ一体的になっている複数の支持台２３は、それぞれが有する第１の端子３Ａと第２の端子３Ｂとが交互に入れ替わるように配置されている。
【００２５】
更に、第１の端子３Ａが固定されている支持台２３に形成されたリード溝２１２は、第２の端子３Ｂが固定されている支持台２３に形成されたリード溝２１２より深く切り込まれるように形成されている。
【００２６】
また、一対の側壁２１１の上端の外周縁に複数の突起壁２４が間を空けて該側壁２１１の延伸方向に沿って並んでいると共に、隣り合う２つの突起壁２４の間に谷間２４１が画成されている。
【００２７】
各端子３が有する接続プレート３２は、それぞれ１つの谷間２４１に対応して、第１の端子３Ａの接続プレート３２が谷間２４１に向かって延伸し、第２の端子３Ｂの接続プレート３２が谷間２４１から離間するように延伸するように配置されている。
【００２８】
また、一対の側壁２１１の上端にそれぞれ複数の円柱状突起２５が間を空けて第３の方向（側壁２１１の延伸方向）に並んでいる。
【００２９】
各リード溝２１２は、該リード溝２１２が形成された支持台２３と一体的になった側壁２１１の収容槽２２に面する内側面に凹設されていると共に、隣り合う２つの円柱状突起２５の間に配置されている。
【００３０】
この構成により、収容槽２２に収容される電子装置４から延伸するリード６は、各リード溝２１２を経由して側壁２１１の上端に到達すると、各円柱状突起２５に巻き付けられて仮固定されてから、半田付けによって各支持台２３に固定されている端子３の接続プレート３２に接続することができる。即ち、電子装置４から延伸するリード６は各円柱状突起２５に巻き付けられておくことによって、より安定な状態で半田付けられる。
【００３１】
また、突起壁２４の形成により、リード６の半田付けが完了した後、シリコーンなどの電気的絶縁材料で収容槽２２を充満する際、リード６が接続プレート３２に固定される部分も電気的絶縁材料により覆われるようになり、リード６や接続プレート３２は大気と接触せず、湿気や酸化などの悪影響を受けなくなる。
【産業上の利用可能性】
【００３２】
上記構成により、本考案の電子装置用パッケージケースにおいて、各端子の接続プレートは各支持台のそれぞれ同一側に向かっている先端面に当接固定されていると共に、該支持台により支持されているので、収容槽内に収容される電子装置から延伸するリードを各端子の接続プレートに当接するように設置しておくと、各先端面が向かっている側から機械を用いて一斉に半田付けで固定することができる。
【００３３】
従って、本考案の電子装置用パッケージケースは機械による自動的作業に適し、生産の速度を速めると共に、コストを節約することも可能である。
【符号の説明】
【００３４】
２１  筐体
２１１  側壁
２１２  リード溝
２２  収容槽
２３  支持台
２３１  先端面
２４  突起壁
２４１  谷間
２５  円柱状突起
３  端子
３１１  埋込み部
３１２  露出部
３１３  係止部
３２  接続プレート
３２２  上端面
３Ａ  第１の端子
３Ｂ  第２の端子
４  電子装置
５  蓋体
６  リード
【図１】
0003176152.tif 000003
【図２】
0003176152.tif 000004
【図３】
0003176152.tif 000005